(57)【要約】【課題】ユーザが手間をかけずとも、無線アクセスポイントが使用している識別情報を自動設定して認証処理を行えるようにすることを目的とする。【解決手段】無線アクセスポイントが送信する報知信号中の識別情報を受信することによって、無線アクセスポイントに設定されている識別情報を認識し、上位アプリケーションとの認証が失敗したときに、自動的に他の識別情報を設定し、再度認証処理を行う無線ステーション端末であり、必ずしもユーザが識別情報の設定を変更しなくても、上位アプリケーションが存在する場合にも、ネットワークに容易に参加できる。【選択図】  図１
2004241911.tif 000002
【特許請求の範囲】
【請求項１】
無線アクセスポイントとの間で、デジタル無線通信を行うことが可能な無線ステーション端末において、
各種機器と接続するインタフェース処理手段と；
上記無線アクセスポイントから送出された報知情報を受信する報知信号受信手段と；
上記報知情報に含まれているシステム識別情報を記憶する記憶手段と；
上記記憶手段に記憶されている上記システム識別情報を、上記無線ステーション端末に設定するシステム識別情報設定手段と；
上記無線アクセスポイントとの間で、第１の認証処理を行う認証手段と；
上位アプリケーションとの間で、第２の認証処理を行う認証手段と；
を有し、上記上位アプリケーションとの間における第２の認証処理において認証失敗した場合は、上記記憶手段から取り出した新たな上記システム識別情報を、上記無線ステーション端末に、設定変更するシステム識別情報設定手段と；
上記識別情報設定手段で設定されたシステム識別情報を用いて、上記第１の認証を実行することを特徴とする無線ステーション端末。
【請求項２】
請求項１において、
上記第１の認証処理は、ＩＥＥＥ８０２．１１で定められた認証方法であることを特徴とする無線ステーション端末。
【請求項３】
請求項１において、
無線ステーションの状態を表示する状態表示手段を有することを特徴とする無線ステーション端末。
【請求項４】
請求項１において、
上記上位アプリケーションは、認証サーバであり、上記第２の認証処理は、ＩＥＥＥ８０２．１ｘで定められた認証方法であることを特徴とする無線ステーション端末。
【請求項５】
請求項１において、
上記上位アプリケーションは、情報機器であり、上記第２の認証処理は、ネットワークプリンタの簡易認証処理であることを特徴とする無線ステーション端末。
【請求項６】
請求項１において、
上記報知情報の受信を開始すると、一定時間、計時する計時手段と；
上記一定時間が経過したことを通知し、上記報知情報の受信を停止する制御手段と；
を有することを特徴とする無線ステーション端末。
【請求項７】
請求項１において、
上記システム識別情報を用いた上記第１、第２の認証処理のうちで、いずれかの認証処理に全て失敗した場合、一定時間の計時をする計時手段と；
上記一定時間が経過したことを通知し、認証処理を行う制御手段と；
を有することを特徴とする無線ステーション端末。
【請求項８】
請求項１において、
上記記憶手段は、上記無線アクセスポイントから上記報知情報を受信する場合、受信電界強度値も同時に記憶する手段であり、
上記記憶手段より上記無線ステーションに設定する上記システム識別情報を選択する場合、適用可能通信速度順に選択することを特徴とする無線ステーション端末。
【請求項９】
請求項１において、
上記記憶手段は、上記無線アクセスポイントから上記報知情報を受信する場合、上記報知情報に含まれる適用可能通信速度も同時に記憶する手段であり、
上記記憶手段より上記無線ステーションに設定する上記システム識別情報を選択する場合、適用可能通信速度順に選択することを特徴とする無線ステーション端末。
【請求項１０】
請求項１において、
上記記憶手段は、上記第１または上記第２の認証に失敗した上記無線アクセスポイントから送出された報知情報を受信する前に、上記無線ステーション端末に設定されたシステム識別情報を記憶する手段であり、
上記記憶手段で記憶しているシステム識別情報が、上記報知情報で通知されるシステム識別情報に含まれている場合、認証に失敗したシステム識別情報を用いた認証処理を実行しないことを特徴とする無線ステーション端末。
【発明の詳細な説明】
【０００１】
【発明の属する技術分野】
本発明は、無線アクセスポイントとの間で無線通信を行う無線ステーション端末に係り、特に、無線アクセスポイント−無線ステーションの認証（第１の認証）が成功した後に行われる無線ステーション−上位アプリケーションの認証（第２の認証）方法に関する。
【０００２】
【従来の技術】
ＩＥＥＥ８０２．１ｘを用いた従来の無線ＬＡＮにおける運用方法について説明する。
【０００３】
図２は、従来のＩＥＥＥ８０２．１ｘを用いた無線ＬＡＮシステムＳＹＳ１１の一例を示す図である。
【０００４】
図５は、上記従来例における動作を示すフローチャートである。
【０００５】
図２に示すように、ＲＡＤＩＵＳサーバ２０１と、無線アクセスポイント２０２と、ＤＨＣＰサーバ２０３とが、同一ネットワーク上に存在している。
【０００６】
無線ステーションＳＴＡ１１は、無線アクセスポイント２０２の無線エリア２０５（無線信号が届く範囲）内に存在する。無線ステーションＳＴＡ１１は、情報機器に接続され、情報機器から各種設定ができるように制御されている。
【０００７】
ここでは、無線ステーションＳＴＡ１１が、無線アクセスポイント２０２と同一のネットワークに参加することができ、通信が行えるような手順を説明する。
【０００８】
無線ステーションＳＴＡ１１は、インフラストラクチャモードで動作し、無線アクセスポイント２０２と同じＥＳＳＩＤを設定する。また、無線ステーションＳＴＡ１１は、８０２．１１ｘで用いるユーザ証明書を保有している。
【０００９】
無線ステーションＳＴＡ１１を起動すると、まず、無線アクセスポイント２０２との間で、８０２．１１認証を行う（５０１）。認証が成功したらアソシエーションを行い、それぞれの関連付けを行う（５０２）。
【００１０】
ここから、ＩＥＥＥ８０２．１ｘで規定される認証方式に移る。
【００１１】
無線ステーションＳＴＡ１１は、認証の開始となるＥＡＰＯＬ−無線ステーションＳｔａｒｔメッセージを送信する（５０３）。無線アクセスポイント２０２は、端末の識別子を要求するＥＡＰ−Ｒｅｑｕｅｓｔ／Ｉｄｅｎｔｉｔｙメッセージを送信する（５０４）。ＥＡＰＯＬ−無線ステーションＳｔａｒｔと、ＥＡＰ−Ｒｅｑｕｅｓｔ／Ｉｄｅｎｔｉｔｙとの送出順序は、決まっていない。
【００１２】
ＥＡＰ−Ｒｅｑｕｅｓｔ／Ｉｄｅｎｔｉｔｙメッセージを受信した無線ステーションＳＴＡ１１は、ＥＡＰ−Ｒｅｓｐｏｎｓｅ／Ｉｄｅｎｔｉｔｙメッセージを送信する（５０５）。すると、無線アクセスポイント２０２は、ＲＡＤＩＵＳサーバ２０１に対して、ＥＡＰ−Ｒｅｓｐｏｎｓｅ／ＩｄｅｎｔｉｔｙメッセージをＲＡＤＩＵＳフォーマットに置き換えて転送する。
【００１３】
ＲＡＤＩＵＳサーバ２０１は、認証を行うためのチャレンジを作成し、無線アクセスポイント２０２に送り、無線アクセスポイント２０２は、それを無線ステーションＳＴＡ１１に送る。無線ステーションＳＴＡ１１はその応答を作成し、無線アクセスポイント２０２を経由し、ＲＡＤＩＵＳサーバ２０１に送る（５０６）。何度かその繰り返しをした後に、認証が成功した場合は、無線アクセスポイント２０２から無線ステーションＳＴＡ１１に、ＥＡＰ−Ｓｕｃｃｅｓｓメッセージが送られる（５０７）。
【００１４】
そして、最後に、無線アクセスポイント２０２から無線ステーションＳＴＡ１１に対して、ＥＡＰＯＬ−Ｋｅｙメッセージを用いて、鍵が配送される（５０８）。
【００１５】
これで、ＩＥＥＥ８０２．１ｘ認証が終了する。最後に、ＤＨＣＰサーバ２０３を用いて、ＩＰアドレスやその他のパラメータを割り当ててもらう。無線ステーションＳＴＡ１１は、無線アクセスポイント２０２と同一のネットワークに参加することができ、通信を実行することができる。
【００１６】
つまり、この認証方法によれば、無線アクセスポイント２０２と無線ステーションＳＴＡ１１とのセキュアな通信が可能になる。
【００１７】
【発明が解決しようとする課題】
しかし、上記従来例では、無線ステーションとＲＡＤＩＵＳサーバとの間で、８０２．１ｘ認証が失敗した場合、無線ステーションは、自己が保有しているユーザ証明書が誤っていると判断し、ユーザにユーザ証明書の確認を促す。
【００１８】
上記従来例では、この場合に、無線通信を行うことができないという問題がある。
【００１９】
本発明は、ユーザが手間をかけずとも、無線アクセスポイントが使用している識別情報を自動設定して認証処理を行えるようにすることを目的とする。
【００２０】
【課題を解決するための手段】
本発明は、無線アクセスポイントが送信する報知信号中の識別情報を受信することによって、無線アクセスポイントに設定されている識別情報を認識し、上位アプリケーションとの認証が失敗したときに、自動的に他の識別情報を設定し、再度認証処理を行う無線ステーション端末である。
【００２１】
すなわち、本発明において、必ずしもユーザが識別情報の設定を変更しなくても、上位アプリケーションが存在する場合にも、ネットワークに容易に参加できる。
【００２２】
【発明の実施の形態および実施例】
［第１の実施例］
本発明の第１の実施例は、上位アプリケーションとして認証サーバであるＲＡＤＩＵＳサーバを利用した無線ＬＡＮシステムである。
【００２３】
図３は、本発明の第１の実施例である無線ＬＡＮシステムＳＹＳ１の構成を示す図である。
【００２４】
無線ＬＡＮシステムＳＹＳ１は、無線ステーションＳＴＡ１と、ネットワークＮＷ１と、無線アクセスポイントＡＰ１と、認証サーバであるＲＡＤＩＵＳサーバ３０１と、ＤＨＣＰサーバ３０３と、ネットワークＮＷ２と、無線アクセスポイントＡＰ２と、ＲＡＤＩＵＳサーバ３０５と、ＤＨＣＰサーバ３０７とを有する。
【００２５】
無線ステーションＳＴＡ１は、パーソナルコンピュータに接続され、このパーソナルコンピュータから各種設定をするように制御されている。また、無線ステーションＳＴＡ１は、８０２．１ｘで用いるユーザ証明書を保有している。
【００２６】
無線ステーションＳＴＡ１の存在場所は、ネットワークＮＷ１に接続された無線アクセスポイントＡＰ１の無線エリア３０８内であり、同様にネットワークＮＷ２に接続された無線アクセスポイントＡＰ２の無線エリア３１０内でもある。さらに、ネットワークＮＷ１には、アクセスポイントＡＰ１の他に、認証サーバであるＲＡＤＩＵＳサーバ３０１と、ＤＨＣＰサーバ３０３とが存在する。
【００２７】
同様に、ネットワークＮＷ２には、ＲＡＤＩＵＳサーバ３０５と、ＤＨＣＰサーバ３０７とが存在する。
【００２８】
次に、無線ステーションＳＴＡ１が、ネットワークＮＷ１に参加しようと試みて、８０２．１１ｘの認証に失敗した場合における無線ステーションＳＴＡ１の動作について、説明する。
【００２９】
図１は、本発明の一実施例である無線ステーション端末ＳＴＡを示すブロック図である。
【００３０】
無線ステーション端末ＳＴＡは、無線送受信部１０１と、記憶部１０２と、インタフェース処理部１０３と、計時部１０４と、制御部１０５と、表示部１０６とを有する。
【００３１】
図６、図７は、上記実施例における動作を示すタイムチャートである。
【００３２】
図８は、上記実施例の動作を示すフローチャートである。
【００３３】
無線ステーションＳＴＡ１において、そのユーザが電源ＯＮ（８０１）し、自己の表示部１０６で“通信設定中”を表示する（８０２）。無線ステーションＳＴＡ１の制御部１０５は、無線送受信部１０１に受信できる全てのＢｅａｃｏｎ信号を、計時部１０４で開始したＡＰ検索タイマがタイムアップするまで、受信するように制御する（６０１、６０２、８０３）。
【００３４】
図１０は、上記実施例におけるデータベースの一例を示す図である。
【００３５】
無線ステーションＳＴＡ１は、Ｂｅａｃｏｎ信号が受信できたら、自己の記憶部１０２に、図１０に示すようなデータベース１００１を作成し、作成されたデータベース１００１上で、受信電界強度順にＳｏｒｔする（８０４）。ここで、Ｂｅａｃｏｎ信号を受信することができない場合、無線ステーションＳＴＡ１の表示部１０６で通信ができないことを示す“圏外”を表示し（８０５）、計時部１０４が、圏外タイマを開始する（８０６）。圏外タイマの所定時間が経過し、タイムアップ（８０７）した場合には、無線ステーションＳＴＡ１の表示部１０６が、“通信設定中”を表示する（８０２）ところから始める。
【００３６】
無線ステーションＳＴＡ１が、受信電界強度順にＳｏｒｔし終わると、受信電界強度順にＥＳＳＩＤを設定し、表示部１０６で設定したＥＳＳＩＤを表示する（８０８）。ここでは、設定したＥＳＳＩＤが、アクセスポイントＡＰ１に設定されているものと同一であるとする。
【００３７】
無線ステーションＳＴＡ１は、自身に設定したＥＳＳＩＤを含むＰｒｏｂｅ  Ｒｅｑｕｅｓｔメッセージを送信し、ＥＳＳＩＤが同一であるアクセスポイントＡＰ１に届くと、８０２．１１認証を開始する（６０３）。無線ステーションＳＴＡ１とアクセスポイントＡＰ１との間で、認証メッセージがやり取りされ、認証が成功すると、関連付けの意味を持つアソシエーションへ、プロトコルが移る（６０４、８１０）。
【００３８】
無線ステーションＳＴＡ１は、アソシエートが終了すると、アクセスポイントＡＰ１に、認証の開始となるＥＡＰＯＬ−無線ステーションＳＴＡ１ｒｔメッセージを送る（６０５）。アクセスポイントＡＰ１は、無線ステーションＳＴＡ１に、端末の識別子を要求するＥＡＰ−Ｒｅｑｕｅｓｔ／Ｉｄｅｎｔｉｔｙメッセージを送信する（６０６）。ＥＡＰＯＬ−無線ステーションＳｔａｒｔメッセージとＥＡＰ−Ｒｅｑｕｅｓｔ／Ｉｄｅｎｔｉｔｙメッセージとの送出順序は、決まっていない。
【００３９】
ＥＡＰ−Ｒｅｑｕｅｓｔ／Ｉｄｅｎｔｉｔｙメッセージを受信した無線ステーションＳＴＡ１は、端末の識別子を含むＥＡＰ−Ｒｅｓｐｏｎｓｅ／Ｉｄｅｎｔｉｔｙメッセージを送信する（６０７）。アクセスポイントＡＰ１は、ＥＡＰ−Ｒｅｓｐｏｎｓｅ／Ｉｄｅｎｔｉｔｙメッセージを、ＲＡＤＩＵＳフォーマットに置き換え、ＲＡＤＩＵＳサーバ３０１に転送する（６０８）。
【００４０】
ＲＡＤＩＵＳサーバ３０１は、認証を行うためのチャレンジを作成し、アクセスポイントＡＰ１に送り、アクセスポイントＡＰ１は、それを無線ステーションＳＴＡ１に送る。無線ステーションＳＴＡ１は、その応答を作成し、アクセスポイントＡＰ１を経由し、ＲＡＤＩＵＳサーバ３０１に送る。
【００４１】
ここでは、上記認証が失敗したと仮定するので、ＲＡＤＩＵＳサーバ３０１は、認証が失敗したことを通知するＲＡＤＩＵＳ−Ｆａｉｌｕｒｅメッセージを、アクセスポイントＡＰ１に送信し（６１０）、アクセスポイントＡＰ１は、メッセージ変換を行い、無線ステーションＳＴＡ１に、ＥＡＰ−Ｆａｉｌｕｒｅメッセージを送信する（６１１）。
【００４２】
ＥＡＰ−Ｆａｉｌｕｒｅメッセージを受信した無線ステーションＳＴＡ１の制御部１０５は、記憶部１０２に格納されているデータベースに、認証処理失敗の情報を書き込み、次のＥＳＳＩＤの候補を探索する（８１５）。
【００４３】
もし、データベース１００１上のＥＳＳＩＤの候補の全てが、認証処理失敗の情報を保有する候補である場合は、無線ステーションＳＴＡ１の表示部１０６に、通信ができないことを示す“圏外”を表示し（８０５）、計時部１０４が、圏外タイマを開始する（８０６）。圏外タイマの所定時間が経過し、タイムアップ（８０７）すると、無線ステーションＳＴＡ１の表示部１０６が、“通信設定中”を表示する（８０２）ところから始める。
【００４４】
次のＥＳＳＩＤ候補が存在する場合は、無線ステーションＳＴＡ１の制御部１０５は、そのＥＳＳＩＤを設定し、表示部１０６で設定したＥＳＳＩＤを表示する（８０８）。ここでは、設定したＥＳＳＩＤが、アクセスポイントＡＰ２に設定されているものと同一であるとする。
【００４５】
無線ステーションＳＴＡ１は、自身に設定したＥＳＳＩＤを含むＰｒｏｂｅ  Ｒｅｑｕｅｓｔメッセージを送信し、ＥＳＳＩＤが同一であるアクセスポイントＡＰ２に届くと、８０２．１１認証を開始する（６１２）。無線ステーションＳＴＡ１とアクセスポイントＡＰ２との間で、認証メッセージがやり取りされ、認証が成功した場合、関連付けの意味を持つアソシエーションへプロトコルが移る（６１３、８１０）。
【００４６】
無線ステーションＳＴＡ１は、アソシエートが終了すると、アクセスポイントＡＰ２に、認証の開始となるＥＡＰＯＬ−無線ステーションＳｔａｒｔメッセージを送る（６１４）。アクセスポイントＡＰ２は、無線ステーションＳＴＡ１に、端末の識別子を要求するＥＡＰ−Ｒｅｑｕｅｓｔ／Ｉｄｅｎｔｉｔｙメッセージを送信する（６１５）。
【００４７】
ＥＡＰ−Ｒｅｑｕｅｓｔ／Ｉｄｅｎｔｉｔｙメッセージを受信した無線ステーションＳＴＡ１は、端末の識別子を含むＥＡＰ−Ｒｅｓｐｏｎｓｅ／Ｉｄｅｎｔｉｔｙメッセージを送信する（６１６）。アクセスポイントＡＰ２は、ＲＡＤＩＵＳサーバ３０５に、ＥＡＰ−Ｒｅｓｐｏｎｓｅ／ＩｄｅｎｔｉｔｙメッセージをＲＡＤＩＵＳフォーマットに置き換え、転送する（６１７）。
【００４８】
ＲＡＤＩＵＳサーバ３０５は、認証を行うためのチャレンジを作成し、アクセスポイントＡＰ２に送り、アクセスポイントＡＰ２は、それを無線ステーションＳＴＡ１に送る。無線ステーションＳＴＡ１は、その応答を作成し、アクセスポイントＡＰ２を経由し、ＲＡＤＩＵＳサーバ３０５に送る。今回は、その認証が成功したと仮定するので、ＲＡＤＩＵＳサーバ３０５は、アクセスポイントＡＰ２に、認証が成功したことを通知するＲＡＤＩＵＳ−Ａｃｃｅｓｓ−Ａｃｃｅｐｔメッセージを送信し（６１９）、アクセスポイントＡＰ２は、メッセージ変換を行い、無線ステーションＳＴＡ１に、ＥＡＰ−Ｓｕｃｃｅｓｓメッセージを送信する（６２０）。そして、アクセスポイントＡＰ２から、無線ステーションＳＴＡ１に、ＥＡＰＯＬ−Ｋｅｙメッセージを用いて鍵が配送される（６２１）。
【００４９】
最後に、ＤＨＣＰサーバ３０７を用いて、ＩＰアドレスやその他のパラメータを割り当ててもらう（６２２、８１３）ことによって、無線ステーションＳＴＡ１は、アクセスポイントＡＰ２と同一のネットワークに参加することができ、セキュアな通信を実行することができる。
【００５０】
第１の実施例は、無線ＬＡＮシステムへの参加であるが、無線ＬＡＮシステムを用いた様々なシステムについても、上記と同様のことが考えられる。
【００５１】
また、タイマや表示部が存在しない無線ステーションＳＴＡ１または外部接続可能な無線ステーションＳＴＡ１でも有効と考えられる。
【００５２】
［第２の実施例］
本発明の第２の実施例は、上位アプリケーションとしての簡易認証システム例である。
【００５３】
次に、第２の実施例のシステム構成について、説明する。
【００５４】
図４は、本発明の第２の実施例である無線ＬＡＮシステムＳＹＳ２の構成を示す図である。
【００５５】
無線ＬＡＮシステムＳＹＳ２は、無線ステーションＳＴＡ２と、ネットワークＮＷ３と、無線アクセスポイントＡＰ３と、ＤＨＣＰサーバ４０１と、パーソナルコンピュータ４０３と、ネットワークＮＷ４と、無線アクセスポイントＡＰ４と、ＤＨＣＰサーバ４０５と、パーソナルコンピュータ４０７とを有する。
【００５６】
無線ステーションＳＴＡ２の構成は、図１に示す無線ステーション端末ＳＴＡと同様である。
【００５７】
無線ステーションＳＴＡ２は、プリンタに接続され、無線プリンタとしてネットワークからデータを受信し、印刷する。
【００５８】
無線ステーションＳＴＡ２の存在場所は、ネットワークＮＷ３に接続された無線アクセスポイントＡＰ３の無線エリア４０８内であり、同様にネットワークＮＷ４に接続された無線アクセスポイントＡＰ４の無線エリア４１０内でもある。さらにネットワークＮＷ３には、アクセスポイントＡＰ３の他に、ＤＨＣＰサーバ４０１と、パーソナルコンピュータ４０３とが存在する。上記と同様に、ネットワークＮＷ４には、ＤＨＣＰサーバ４０５とパーソナルコンピュータ４０７とが存在する。
【００５９】
次に、無線ステーションＳＴＡ２が、ネットワークＮＷ３に参加しようと試みて、プリンタの簡易認証に失敗した場合の動作について説明する。
【００６０】
図９は、無線ＬＡＮシステムＳＹＳ２において、無線ステーションＳＴＡ２が、ネットワークＮＷ３に参加しようと試みて、プリンタの簡易認証に失敗した場合の動作を示すフローチャートである。
【００６１】
まず、無線ステーションＳＴＡ２は、そのユーザが電源ＯＮし（９０１）、自己の表示部１０６に、“通信設定中”を表示する（９０２）。無線ステーションＳＴＡ２の制御部１０５は、無線送受信部１０１に受信できる全てのＢｅａｃｏｎ信号を、計時部１０４で開始したＡＰ検索タイマがタイムアップするまで受信するように制御する（７０１、７０２、９０３）。
【００６２】
無線ステーションＳＴＡ２は、Ｂｅａｃｏｎ信号を受信すると、自己の記憶部１０２に、図１０に示すデータベース１００１を作成し、作成されたデータベース１００１上で、Ｂｅａｃｏｎ信号に含まれる適用可能通信速度順に、Ｓｏｒｔする（９０４）。また、無線ステーションＳＴＡ２の表示部１０６が、プリンタに登録中を示す“登録中”を表示する（９０５）。ここで、Ｂｅａｃｏｎ信号を受信できない場合、無線ステーションＳＴＡ２の表示部１０６に、通信ができない旨を示す“圏外”を表示し（９０６）、計時部１０４が、圏外タイマを開始する（９０７）。
【００６３】
圏外タイマの所定時間が経過し、タイムアップ（９０８）すると、無線ステーションＳＴＡ２の表示部１０６に“通信設定中”を表示する（９０２）ところから始める。
【００６４】
適用可能通信速度順にＳｏｒｔし終わった無線ステーションＳＴＡ２は、適用可能通信速度順に、ＥＳＳＩＤを設定し、表示部１０６に、設定したＥＳＳＩＤを表示する（９０９）。ここでは、設定したＥＳＳＩＤがアクセスポイントＡＰ３に設定されているものと同一であるとする。
【００６５】
無線ステーションＳＴＡ２は、自身に設定したＥＳＳＩＤを含むＰｒｏｂｅ  Ｒｅｑｕｅｓｔメッセージを送信し、ＥＳＳＩＤが同一であるアクセスポイントＡＰ３に届くと、８０２．１１認証を開始する（７０３）。無線ステーションＳＴＡ２とアクセスポイントＡＰ３との間で、認証メッセージがやり取りされ、認証成功であれば、関連付けの意味を持つアソシエーションへプロトコルが移る（７０４、９１０）。
【００６６】
無線ステーションＳＴＡ２は、ネットワークＮＷ３上の接続されている各種端末のうちで、ユーティリティソフトを保有しているＰＣを検索するために、Ｐｒｉｎｔｅｒ名やシリアルナンバー、機種名などの情報を含むユーティリティソフト検索メッセージを、アクセスポイントＡＰ３に送信し（７０６、９１２）、自身の計時部１０４で、検索待ちタイマを開始する（９１３）。
【００６７】
上記ユーティリティソフト検索メッセージを受信したアクセスポイントＡＰ３は、ブロードバンドでユーティリティソフト検索メッセージを送信する（７０７）。ここでは、無線ステーションＳＴＡ２は、ユーティリティソフト検索メッセージの応答であるユーティリティソフト検索応答メッセージを受信（９１４）できないものとする。
【００６８】
ネットワークプリンタ登録完了メッセージを受信（９１４）ができず、検索待ちタイマの所定時間が経過し、タイムアップ（９１５）した無線ステーションＳＴＡ２の制御部１０５は、記憶部１０２に格納されているデータベースに、認証処理失敗を示す情報を書き込み、次のＥＳＳＩＤの候補を検索する（９１６）。
【００６９】
もし、データベース１００１上のＥＳＳＩＤの候補全てが、認証処理失敗の情報を保有する候補である場合、無線ステーションＳＴＡ２の表示部１０６で通信ができないことを示す“圏外”を表示し（９０６）、計時部１０４が、圏外タイマを開始する（９０７）。圏外タイマの所定時間が過ぎ、タイムアップ（９０８）すると、無線ステーションＳＴＡ２の表示部１０６が“通信設定中”を表示する（９０２）ところから始める。
【００７０】
次のＥＳＳＩＤ候補が存在すれば、無線ステーションＳＴＡ２の制御部１０５はそのＥＳＳＩＤを設定し、表示部１０６で設定したＥＳＳＩＤを表示する（９０９）。ここでは、設定したＥＳＳＩＤが、アクセスポイントＡＰ４に設定されているものと同一であるとする。
【００７１】
無線ステーションＳＴＡ２は、自身に設定したＥＳＳＩＤを含むＰｒｏｂｅ  Ｒｅｑｕｅｓｔメッセージを送信し、ＥＳＳＩＤが同一であるアクセスポイントＡＰ４に届くと、８０２．１１認証を開始する（７０８）。無線ステーションＳＴＡ２とアクセスポイントＡＰ４との間で、認証メッセージがやり取りされ、認証が成功すると、関連付けの意味を持つアソシエーションへプロトコルが移る（７０９、９１０）。
【００７２】
無線ステーションＳＴＡ２は、アソシエートが終了すると、ＤＨＣＰサーバ４０５に、アクセスし、ＤＨＣＰサーバ４０５は、ＩＰアドレスやその他のパラメータを割り当てる（７１０、９１１）。
【００７３】
無線ステーションＳＴＡ２は、ネットワークＮＷ４上の接続されている各種端末のうちで、ユーティリティソフトを保有しているＰＣを検索するために、Ｐｒｉｎｔｅｒ名やシリアルナンバー、機種名などの情報を含むユーティリティソフト検索メッセージを、アクセスポイントＡＰ４に送信し（７１１、９１２）、自身の計時部１０４で、検索待ちタイマを開始する（９１３）。
【００７４】
上記ユーティリティソフト検索メッセージを受信したアクセスポイントＡＰ４は、ブロードバンドでユーティリティソフト検索メッセージを送信する（７１２）。ここでは、無線ステーションＳＴＡ２は、ユーティリティソフト検索メッセージの応答であるネットワークプリンタ登録完了メッセージを受信（９１４）できるものと仮定し、説明を続ける。
【００７５】
ユーティリティソフト検索メッセージを受信したユーティリティソフトを保有するパーソナルコンピュータ４０７は、ユーティリティソフト検索メッセージに含まれているＰｒｉｎｔｅｒ名やシリアルナンバー、機種名などの情報がユーティリティソフトと一致していることを確認し、一致しているとの確認が取れたら、ユーティリティソフトを起動させる（７１３）。
【００７６】
その後、パーソナルコンピュータ４０７は、アクセスポイントＡＰ４を経由し、無線ステーションＳＴＡ２に、ユーティリティソフト検索応答メッセージを送信する（７１４）。このユーティリティソフト検索応答メッセージを受信した無線ステーションＳＴＡ２は、検索待ちタイマを停止（９１７）する。
【００７７】
無線ステーションＳＴＡ２とパーソナルコンピュータ４０７との間で、Ｐｏｒｔの割り当て等、登録作業を行い（７１５）、終了後に、パーソナルコンピュータ４０７は、アクセスポイントＡＰ４を経由し、無線ステーションＳＴＡ２へ登録完了通知（７１６、７１７）を送信する。登録完了通知を受信した無線ステーションＳＴＡ２は、自身の表示部１０６に“登録完了”を表示する（９１８）。
【００７８】
上記手順を実行すると、無線プリンタを簡単に認証することができる。
【００７９】
第２の実施例では、タイマや表示部が存在する無線ステーションＳＴＡ２を用いているが、タイマや表示部が存在しない無線ステーションまたは外部接続可能な無線ステーションでも有効と考えられる。
【００８０】
【発明の効果】
本発明によれば、無線アクセスポイントが使用している識別情報を自動設定し、上位アプリケーションとの認証を行うので、たとえ、上位アプリケーションとの認証が失敗しても、別の識別情報を再設定して再度認証を行うことができるという効果を奏し、すなわち、必ずしもユーザが識別情報の設定を変更しなくても、上位アプリケーションが存在する場合にも、ネットワークに容易に参加できるという効果を奏する。
【図面の簡単な説明】
【図１】本発明の一実施例である無線ステーション端末ＳＴＡのブロック図である。
【図２】従来のＩＥＥＥ８０２．１ｘを用いた無線ＬＡＮシステムＳＹＳ１１の一例を示す図である。
【図３】本発明の第１の実施例である無線ＬＡＮシステムＳＹＳ１の構成を示す図である。
【図４】本発明の第２の実施例である無線ＬＡＮシステムＳＹＳ２の構成を示す図である。
【図５】上記従来例における動作を示すフローチャートである。
【図６】上記実施例における動作を示すタイムチャートである。
【図７】上記実施例における動作を示すタイムチャートである。
【図８】上記実施例の動作を示すフローチャートである。
【図９】無線ＬＡＮシステムＳＹＳ２において、無線ステーションＳＴＡ２が、ネットワークＮＷ３に参加しようと試みて、プリンタの簡易認証に失敗した場合の動作を示すフローチャートである。
【図１０】上記実施例におけるデータベースの一例を示す図である。
【符号の説明】
ＳＴＡ、ＳＴＡ１…無線ステーション端末、
１０１…無線送受信部、
１０２…記憶部、
１０３…インタフェース処理部、
１０４…計時部、
１０５…制御部、
１０６…表示部、
ＳＹＳ１…無線ＬＡＮシステム、
ＡＰ１、ＡＰ２…無線アクセスポイント、
３０１、３０５…認証サーバであるＲＡＤＩＵＳサーバ、
３０３、３０７…ＤＨＣＰサーバ。
【図１】
2004241911.tif 000003
【図２】
2004241911.tif 000004
【図３】
2004241911.tif 000005
【図４】
2004241911.tif 000006
【図５】
2004241911.tif 000007
【図６】
2004241911.tif 000008
【図７】
2004241911.tif 000009
【図８】
2004241911.tif 000010
【図９】
2004241911.tif 000011
【図１０】
2004241911.tif 000012